(57)【要約】【課題】揺動部側ヒンジ部に電気器具の端子を備え、この端子に接続される導電線と揺動軸との干渉を良好に回避することができ、信頼性の高いヒンジ構造を得、同じく信頼性の高い加熱調理具を得る。【解決手段】本体の底板部に、前方に位置する前方案内ガイド部５１と後方に位置する後方案内ガイド部５２とを、調理器左右方向で位置を異ならせて設け、前方案内ガイド部５１に対応する前方凸部２１と、後方案内ガイド部５２に対応する後方凸部２２とを第１トレー２の底面２ｆに下方に突出して設け、前方凸部２１が前方案内ガイド部５１上を、後方凸部２２が後方案内ガイド部５２上を同時に摺動して、第１トレー２が上下方向に位置を変えて移動するとともに、当該摺動移動において底板部に対する第１トレー２の平行姿勢が維持される構成とする。【選択図】図２０
2008284103.tif 000002
【特許請求の範囲】
【請求項１】
加熱手段を備えた本体と、底面と当該底面の四辺より立ち上がる側壁とを備えた第１トレーとを備え、前記第１トレーが前記加熱手段が進入可能な加熱手段挿入孔を後方側壁に備え、前記第１トレーが前記本体に載置された状態で、第１トレーを調理器後方向に押し込み、前記加熱手段が前記第１トレー内に進入した進入姿勢で、前記第１トレーが前記本体に載置されて使用される加熱調理器であって、
前記本体の底板部に、調理器前後方向において前方に位置する前方案内ガイド部と後方に位置する後方案内ガイド部とを、調理器左右方向で位置を異ならせて前記底板部から上方に突出して設け、
前記前方案内ガイド部に対応する前方凸部と、前記後方案内ガイド部に対応する後方凸部とを前記第１トレーの底面に下方に突出して設け、
前記押し込み操作に伴う第１トレーの後方移動において、前記前方凸部が前記前方案内ガイド部上を、前記後方凸部が前記後方案内ガイド部上を同時に摺動して、前記第１トレーが上下方向に位置を変えて移動するとともに、当該摺動移動において底板部に対する第１トレーの平行姿勢が維持される加熱調理器。
【請求項２】
対を成す前記前方案内ガイド部と後方案内ガイド部とを、調理器左右方向に少なくとも一対設け、
対応する対を成す前記前方凸部と後方凸部とを、調理器左右方向に少なくとも一対設けた請求項１記載の加熱調理器。
【請求項３】
前記第１トレーの底面に設けられる前方凸部と後方凸部との調理器左右方向の面が当接して、第１トレーを調理器左右方向において位置決めする第一案内ガイド部を備えた請求項１又は２記載の加熱調理器。
【請求項４】
前記第一案内ガイド部として、調理器左右方向の異なる位置に一対の第一案内ガイド部を備えた請求項３記載の加熱調理器。
【請求項５】
前記第一案内ガイド部に対して、調理器左右方向の両側に、対を成す前方案内ガイド部及び後方案内ガイド部が設けられている請求項３又は４記載の加熱調理器。
【請求項６】
前記第一案内ガイド部に対して、調理器左右方向の片側に、対を成す前方案内ガイド部及び後方案内ガイド部が設けられている請求項３又は４記載の加熱調理器。
【請求項７】
前記押し込み操作を完了した姿勢である進入姿勢において、前記第１トレーを前記底板部に位置決め固定する位置決め機構を備えた請求項１〜６のいずれか一項記載の加熱調理器。
【請求項８】
前記前方案内ガイド部、後方案内ガイド部、前方凸部及び後方凸部の何れか一つが前方側及び後方側に傾斜面を備えた山型に形成されている請求項１〜７のいずれか一項記載の加熱調理器。
【請求項９】
前記第１トレーの底面側周縁部であって、後方を除く底面側周縁部に、前記前方凸部及び後方凸部の突出高さ以上の下方突出縁部を設けた請求項１〜８のいずれか一項記載の加熱調理器。
【発明の詳細な説明】
【技術分野】
【０００１】
本願発明は、フィッシュロースター等の加熱調理器に関し、特に、加熱手段を備えた本体と、底面と当該底面の四辺より立ち上がる側壁とを備えた第１トレーとを備え、第１トレーが加熱手段が進入可能な加熱手段挿入孔を後方側壁に備え、第１トレーが本体に載置された状態で第１トレーを調理器後方向に押し込み、加熱手段が前記第１トレー内に進入した進入姿勢で、第１トレーが前記本体に載置されて使用される加熱調理器に関するものである。
【背景技術】
【０００２】
この種の加熱調理器が特許文献１に紹介されている。この文献は、フィッシュロースターの例を示すものである。
【０００３】
この技術では、当該明細書の図３、図５に基づいて説明すると、本体ケース２と底板部１１との着脱及び位置決めがスムーズに行えるとともに、その着脱時に本体ケース２内の水がこぼれないようにするために、本体ケース後方側壁部にヒーター挿入用の孔２１を設け、更に本体ケース底面の後方裏面部に凸部２５を設け、前記本体底板部１１に前記本体ケースガイド用の凸部５１又は凹部５２を設けている。この後方裏面部の凸部２５に対して前方裏面部に前方凸部２４も設けられている。ここで、後方凸部２５の高さＸは、前方凸部２４の高さＹより大きく（Ｘ＞Ｙ）とされている。
【０００４】
【特許文献１】特開２００３−３３２８２号公報
【発明の開示】
【発明が解決しようとする課題】
【０００５】
上記構成にあっては、本体底板部に凸部を設けることで、本体ケースをその左右方向において案内できるとともに、前後対となる凸部２４、２５とを設けることで、本体ケース２の挿入時に、本体ケースの後端側が上がった姿勢で、ヒータ挿入孔からヒータを良好に挿入させる。そして、本体ケース２内の水が漏れる等の問題が起こるのを避けることができる。
【０００６】
しかしながら、この構造では、本体ケース２の挿入時に後端側を持ち上げることとなるため、ケース内の水が波立つ。
また、後端だけを持ち上げた時、ヒータと本体ケース後部の孔との距離が近くなってしまい、加熱手段挿入孔の開口高さを小さくできないという問題が生じる他、最悪の場合、ヒータが孔周縁部に接触しかねない。
【０００７】
そこで、本発明の目的は、水を入れた状態にある本体ケースの挿入時に、できるだけ水面を乱すことなく、本体ケースを挿入することが可能で、さらに、ヒータ挿入孔に関しても、できるだけ孔の上下方向幅を狭くすることが可能な加熱調理器を得ることにある。
【課題を解決するための手段】
【０００８】
上記目的を達成するための、加熱手段を備えた本体と、底面と当該底面の四辺より立ち上がる側壁とを備えた第１トレーとを備え、前記第１トレーが前記加熱手段が進入可能な加熱手段挿入孔を後方側壁に備え、前記第１トレーが前記本体に載置された状態で、第１トレーを調理器後方向に押し込み、前記加熱手段が前記第１トレー内に進入した進入姿勢で、前記第１トレーが前記本体に載置されて使用される加熱調理器の特徴構成は、
前記本体の底板部に、調理器前後方向において前方に位置する前方案内ガイド部と後方に位置する後方案内ガイド部とを、調理器左右方向で位置を異ならせて前記底板部から上方に突出して設け、
前記前方案内ガイド部に対応する前方凸部と、前記後方案内ガイド部に対応する後方凸部とを前記第１トレーの底面に下方に突出して設け、
前記押し込み操作に伴う第１トレーの後方移動において、前記前方凸部が前記前方案内ガイド部上を、前記後方凸部が前記後方案内ガイド部上を同時に摺動して、前記第１トレーが上下方向に位置を変えて移動するとともに、当該摺動移動において底板部に対する第１トレーの平行姿勢が維持されることにある。
【０００９】
本願に係る加熱調理器には、本体の底板部の前方と後方との両方に、対となる前方案内ガイド部及び後方案内ガイド部が設けられる。一方、第１トレーの底面には、前方案内ガイド部に対応する前方凸部が、後方案内ガイド部に対応する後方凸部が設けられる。
ここで、前方案内ガイド部と後方案内ガイド部にあっては、加熱調理器の左右方向において、その位置が異ならせてあることから、前方凸部と後方凸部とに関しても、同様にその左右方向の位置が異なって設けられている。
【００１０】
さて、第１トレーを本体に対して押し込み操作すると、前方案内ガイド部は前方凸部に、後方案内ガイド部は後方凸部に、夫々、同時に当接するとともに、相対摺動を起こす。ここで、各案内ガイド部は本体の底板部から上方に突出形成されていることから、各凸部が各案内ガイド部上を摺動移動すると、第１トレーは先ず上方に案内され、その後、底板部まで下降することとなる。そして、この摺動移動において、本願にあっては、第１トレーは、前後方向に対を成して設けられている案内ガイド部及び凸部の関係から、底板部に対する第１トレーの平行姿勢が維持される。即ち、第１トレーは、底板部との関係においてその平行姿勢を守った状態で、上昇移動を行うとともに、下降移動を起こす。
従って、第１トレー内に水が収納された状態で、第１トレーを本体に押し込んでも、その水面を波立たせる等、乱すことなく、第１トレーを加熱調理に使用する位置まで安定して摺動移動できる。さらに、底板部と第１トレーとを平行姿勢に保てるため、後上がりの姿勢時のように、加熱手段挿入孔の下側の縁部が上方向に位置しないため、加熱手段挿入孔自体の開口上下方向幅を小さくしても問題ない。
【００１１】
さて、上記構成の加熱調理器において、
対を成す前記前方案内ガイド部と後方案内ガイド部とを、調理器左右方向に少なくとも一対設け、
対応する対を成す前記前方凸部と後方凸部とを、調理器左右方向に少なくとも一対設けることが好ましい。
この構成の加熱調理器にあっては、少なくとも前後左右方向の４箇所に案内ガイド部が設けられ、対応する凸部も前後左右の４箇所に少なくとも設けられる。
結果、第１トレーの押し込み時の摺動移動に関して、第１トレーを前後方向のみならず、左右方向においても支持することとなるため、安定的に第１トレーの押し込み移動を行うことができる。
【００１２】
さらに、これまで説明してきた加熱調理器において、
前記第１トレーの底面に設けられる前方凸部と後方凸部との調理器左右方向の面が当接して、第１トレーを調理器左右方向において位置決めする第一案内ガイド部を備えることが好ましい。
第一案内ガイド部を備えることにより、第１トレーをその左右方向において位置決めして案内することで、前後方向に関しては、前方案内ガイド部及び後方案内ガイド部を利用し、左右方向に関しては当該第一案内ガイド部を利用して、第１トレーを安定的に押し込み摺動させることができる。
【００１３】
上記第一案内ガイド部としても、調理器左右方向の異なる位置に一対の第一案内ガイド部を備えた構成を採用することで、第一案内ガイド部が設けられた左右方向の各位置で、安定的に案内を行うことができる。
【００１４】
さて、このような第一案内ガイド部を設ける構成を採用する場合に、当該第一案内ガイド部に対して、調理器左右方向の両側に、対を成す前方案内ガイド部及び後方案内ガイド部が設けられていることが好ましい。
この構成にあっては、特定の第一案内ガイド部に対して、これを挟む構成で対を成す前方案内ガイド部及び後方案内ガイド部を設けることとなるが、これらガイド部に対応する凸部に関しては、それら凸部の第一案内ガイド部側の面が、第一案内ガイド部を挟む。そして、摺動移動に伴って、各案内ガイド部が対応する各凸部に当接して、第１トレーの上昇、下降を実現できる。よって、左右方向においてバランスのよい状態で、第１トレーの左右方向における位置決めと、上昇、下降移動を実現できる。
【００１５】
さて、このような第一案内ガイド部を設ける構成を採用する場合に、当該第一案内ガイド部に対して、調理器左右方向の片側に、対を成す前方案内ガイド部及び後方案内ガイド部が設けられていることが、好ましい。
この構成にあっては、特定の第一案内ガイド部に対して、その左右方向の一方に、対を成す前方案内ガイド部及び後方案内ガイド部を設けることとなる。そして、これらガイド部に対応する凸部に関しては、それら凸部の第一案内ガイド部側の面の何れかあるいは両方が、第一案内ガイド部により位置決めされる構成とすることができる。そして、摺動移動に伴って、各案内ガイド部が対応する各凸部に当接して、第１トレーの上昇、下降を実現できる。加熱調理器を構成する各機能部位の配置によっては、各案内ガイド部の位置関係が規制される場合もある。そのような構成でも第一案内ガイド部に対して、他の案内ガイド部を一方側とすることで、良好に対応できる。
【００１６】
これまで説明してきた加熱調理器にあっては、押し込み操作時の第１トレーの上昇、下降及びその左右方向における位置決めに関して説明した。そのような機能に対して、前記押し込み操作を完了した姿勢である進入姿勢において、前記第１トレーを前記底板部に位置決め固定する位置決め機構を備えておくことも好ましい。
このようにしておくことで、当該位置決め機構で押し込み操作完了時の前後方向の位置決めを確実なものとできる。
【００１７】
さて、これまで説明してきた前方案内ガイド部、後方案内ガイド部、前方凸部及び後方凸部の何れか一つに関して、それが前方側及び後方側に傾斜面を備えた山型に形成されていることが好ましい。
摺動面を成す案内ガイド部の表面、凸部の表面を傾斜面からなる山型とすることで、順次、第１トレーがスムーズに上昇移動、下降移動を行うように構成することができる。さらに、押し込み移動とは反対の引き出し移動に際しても、スムーズな移動を確保できる。
【００１８】
また、対となる案内ガイド部と凸部とがともに山型に形成され、案内ガイド部と凸部との接触する面間でその傾斜角がほぼ一致している場合は、両者を面で接触させることができる。
【００１９】
さらに、案内ガイド部を前方傾斜面と後方傾斜面とを備えて構成し、対応する凸部に関しても前方傾斜面と後方傾斜面とを備えて構成し、前記案内ガイド部の後方傾斜面の角度を前記凸部の前方傾斜面の角度（後方角度と呼ぶ）と一致させておくと、押し込み操作を完了した時点で、案内ガイド部の後方傾斜面が凸部の前方傾斜面に面で接触するため、完了姿勢を良好に保つことができる。この構成において、前記案内ガイド部の前方傾斜面の角度を前記凸部の後方傾斜面の角度（前方角度と呼ぶ）と一致させておくと、押し込み操作における上昇移動に際して、案内ガイド部の前方傾斜面が凸部の後方傾斜面に面で接触するため、姿勢の安定した摺動移動を行える。
さらに、この構成において、後方角度を前方角度より大きく採ることで、押し込み完了時の第１トレーの位置保持機能を確保できる。
【００２０】
さて、これまで説明してきた構成において、第１トレーの底面側周縁部であって、後方を除く底面側周縁部に、前記前方凸部及び後方凸部の突出高さ以上の下方突出縁部を設けておくと、第１トレーを単独で平面上に置く状態でも、第１トレーの平面姿勢を確保できる。
【発明を実施するための最良の形態】
【００２１】
以下、本願に係る加熱調理器としてのフィッシュロースターに採用した例について説明する。
〔第一実施形態〕
１  全体構造
図１ないし図１２は、当該フィッシュロースターの実施形態を示し、図１は正面図を、図２は平面図を、図３は側面図を、図４は斜め前上方向から見た全体斜視図を、図５は斜め前下方から見た全体斜視図を、図６は斜め後上方向から見た全体斜視図を、図７は斜め後下方から見た全体斜視図を、図８は図２のＶＩＩＩ−ＶＩＩＩ断面図を、図９は図１のＩＸ−ＩＸ断面図を、図１０は図１のＸ−Ｘ断面図を、図１１は図８のＸＩ−ＸＩ断面図を示す。図１２は、蓋体５を開いた状態のフィッシュロースターを示している。
図１３、図１４は本体１の正面図及び全体斜視図であり、図１５、１６は水受けトレー２の斜め前下方向から見た斜視図及び斜め後下方向から見た斜視図である。
【００２２】
フィッシュロースターは、本体１と、該本体１上に載置される水受けトレー２（第１トレーの一例）と、該水受けトレー２の上端部に取り付けられる焼き網３と、反射トレー４（第２トレーの一例）と、前記水受けトレー２の上面を開閉する蓋体５等から構成される。
本体１と蓋体５との間の揺動を実現するヒンジ構造は、図８に示すように、上記本体１が固定される本体側ヒンジ部７１と、上記蓋体５が固定される蓋体側ヒンジ部７２との間で採用される。
本願にあっては、構造を説明するのに、「前後方向（加熱調理器前後方向）」「左右方向（加熱調理器左右方向）」「上下方向（加熱調理器上下方向）」なる記載を用いるが、「前後方向」は図１に示す正面視で紙面表裏方向となるロースターの奥行き方向であり、「左右方向」は図１に示す正面視で左右方向となるロースターの幅方向であり、「上下方向」は図１に示す正面視で上下方向となるロースターの高さ方向である。
【００２３】
本体１
本体１は、図１３、図１４に示すように、水受けトレー２が載置される底板部１１、左右の支持部１２、１３と中央支持部１４等からなる。前記底板部１１は、金属製の方形の平板部材からなり、その左右端には、夫々、左側支持部１２及び右側支持部１３が一体に連結されている。左側支持部１２は、樹脂製の概略Ｌ字部材からなり、その左上端部に取手１２ａを備えるとともに、その右下部位に底板支持部１２ｂを備えている。右側支持部１３は、樹脂製の概略逆Ｌ字部材からなり、その右上端部に取手１３ａを備えるとともに、その左下部位に底板支持部１３ｂを備えている。そして該取手１３ａには、温度調節用つまみ１３ｃが配置される。この例では、左右の取手１２ａ，１３ａの形状として、異なる形状が採用されている。即ち、図示するように、左側の取手１２ａが前後方向に伸びる平板状の取手として形成されているのに対して、右側の取手１３ａは、右方向に円柱状に突出する温度調整用つまみ１３ｃを先端に備えた調整機能部１３ｄとの意匠的一体性を重視した涙滴状の取手１３ａとして構成されている。
中央支持部１４は、樹脂製の概略Ｌ字部材からなり、その後方部がヒンジ収納空間１４ａを形成しており、その前側底面に底板支持部１４ｂを備えている。
【００２４】
水受けトレー２
水受けトレー２は、図１５、図１６に示すように、有底箱型の上方開放状に形成されている。そして、前方側壁２ａは単純な断面円弧状の側壁面として構成されるとともに、その左右側壁２ｂ，２ｃにそれぞれ、一対の焼き網支持突起２ｄが内側に突出して形成されている。一方、後方側壁２ｅにはヒータ挿入孔Ｏｄが形成されている。
【００２５】
図１６からも判明するように、水受けトレー２の底面２ｆには前方凸部２１及び後方凸部２２が一定の高さに内側から外側に（下方向に）突出形成されている。これら凸部２１、２２に関しては、後に詳細に説明する。これら凸部２１、２２に対して、当該水受けトレー２における底面外周縁部には、後方を除いて、前方端縁部２ｇ及び左右端縁部２ｈ，２ｉに、前記凸部２１、２２より高さが等しいか高い下方に延出された下方突出縁部２３が形成されている。この下方突出縁部２３は、その形状が概略コの字状を成し、さらに、前記凸部２１，２２に高さが等しいかより高く形成されていることから、水受けトレー２を面上に置いた状態で、収納状態にある水面を上記面と平行に保つことができる。
【００２６】
この水受けトレー２は、本体１の底板部１１に載置して用いられるが、その載置に際して下ヒータＨｄ（加熱手段の一例で、本体側ヒータを成す）をヒータ挿入孔Ｏｄ（加熱手段挿入孔の一例）内に挿入する必要がある。この際、底板部１１上をその前方側より後方側に向かって滑らせながら押し込むことで、その挿入を完了できる。また、この水受けトレー２内には、所定量の水が入れられるとともに、その上面には、前記焼き網支持突起２ｄに支持される形態で焼き網３が配設される。
【００２７】
反射トレー４
反射トレー４は、図８に示すように、前記水受けトレー２に収納されて使用されるものであり、水受けトレー２と同様に、金属製の上方開放の箱型状からなっている。但し、その側壁高さは水受けトレー２と比較して十分に小さく設定されており、水受けトレー２内に水を入れた状態で、その水に浮く構造が採用されている。従って、この反射トレー４は、水受けトレー２とは別体の部材であり、常時、取り出し可能である。
【００２８】
蓋体５
蓋体５は、図８に示すように、金属製の下方開放の箱型状からなり、その後方側壁部には、上ヒータＨｕが挿入可能なヒータ挿入孔Ｏｕが、その前方側壁部には、透視窓５１が設けられている。さらに、頂部には排気処理部５２が設けられるとともに、その下に反射板５３が取り付けられている。又、左右の側部には取手５４が備えられている。
さらに、この蓋体５は、図６に示すように、ヒータ挿入孔Ｏｕ内に上ヒータＨｕを挿入後、蓋体５の蓋止め片５５を後述する蓋塞ぎ板Ｐｕの左右端近傍に設けられる係合孔５６に係合することにより、蓋塞ぎ板Ｐｕに一体的に固定され、水受けトレー２に対して略９０度開閉自在にされる。
【００２９】
２  ヒンジ構造
前記本体１と前記蓋体５との間における揺動軸７を介したヒンジ構造に関して以下に詳細に説明する。先にも説明したように、蓋体５は本体１に対して略９０度揺動可能に構成されている。
図８からも判明するように、本体１が本体側ヒンジ部７１に、蓋体５が蓋体側ヒンジ部７２にそれぞれ固定され、本体側ヒンジ部７１と蓋体側ヒンジ部７２とが揺動軸７を介して揺動自在とされている。そして、図１４からも判明するように、本体側ヒンジ部７１の前方面には、横長な金属製のトレー塞ぎ板Ｐｄが取り付けられるとともに、該トレー塞ぎ板Ｐｄには、前方へ前記底板部１１と平行に張り出し、平面視略Ｗ形の下ヒータＨｄが取り付けられる。
蓋体側ヒンジ部７２は、図８、図１２に示すように、本体側ヒンジ部７１に対して揺動軸７を介して略９０度揺動自在に接続されており、該蓋体側ヒンジ７２には、上ヒータＨｕを取り付けるための金属製の横長な蓋塞ぎ板Ｐｕが備えられている。
図１１に、上ヒータＨｕと導電線Ｌとの接続端子Ｃ及びこの接続端子Ｃに接続された導電線Ｌを示している。
【００３０】
蓋体側ヒンジ部７２
当該蓋体側ヒンジ部７２は、図１７に示すように、揺動軸軸方向の両端部に、前記揺動軸７を軸支する第一端面カバーＣ１を備えた第一部材７２ａと、同様に揺動軸軸方向の両端部に、前記揺動軸７が挿通する第二端面カバーＣ２を備え、前記第二端面カバーＣ２の位置が第一端面カバーＣ１の位置に対して、揺動軸軸方向で中央寄りに設定された第二部材７２ｂとで構成されている。そして、図１１に示すように、これら第二端面カバーＣ２間に形成される空間が上ヒータＨｕの接続端子Ｃが収納される収納空間Ａｃとされるとともに、前記第一端面カバーＣ１と前記第二端面カバーＣ２との間に形成される一対の空間が、夫々導電線Ｌが通る導電線挿通空間Ａｌとして構成されている。
【００３１】
従って、この構成においては、加熱調理器の後方向に位置する揺動軸７に向かって延出される上ヒータＨｕの接続端子Ｃに対して、揺動軸軸方向に沿った方向である左右方向に導電線Ｌを一端引き出し、第一端面カバーＣ１と第二端面カバーＣ２との間に形成される空間Ａｌに導き、その空間Ａｌ内を下方向に導電線Ｌが降下する構造が採用されている。
【００３２】
さらに詳細に説明すると、図１７、図１８に示すように、第一部材７２ａは、蓋体５に固定される第一固定部Ｆ１と、この第一固定部Ｆ１の揺動軸軸方向の両端部から揺動軸方向に伸びる前記第一端面カバーＣ１とを備えて構成され、第二部材７２ｂが、前記蓋体５に固定される第二固定部Ｆ２と第二接続部ＦＣと、これに設けられる前記第二端面カバーＣ２とを備えて構成されている。そして、前記第二端面カバーＣ２の夫々に関し、第二固定部側部位と揺動軸側部位との間に、導電線Ｌが通る導電線挿通部ＰＬが設けられている。
【００３３】
上記導電線挿通部ＰＬを形成するのに、前記第二固定部Ｆ２に接続して揺動軸側に伸びる第二接続部ＦＣを設け、この第二接続部ＦＣの揺動軸軸方向の両端部から固定部側端面カバーＣｆ及び揺動軸側端面カバーＣｓを折り曲げて形成している。従って、前記第二端面カバーＣ２の夫々は、第二固定部Ｆ２側に位置する固定部側端面カバーＣｆと、揺動軸７が挿通される揺動軸側端面カバーＣｓとで構成されており、導電線挿通部ＰＬは、これら固定部側端面カバーＣｆと揺動軸側端面カバーＣｓとの間に形成されるものとなっている。
【００３４】
さらに具体的には、この導電線挿通部ＰＬは、図１１、図１７からも明らかとなるように、揺動軸７に近接する側の端辺が直線状の直辺部ｓｐとこの部位に接続される四半円弧状の円弧部ｃｐと、揺動軸７から離間する側の端辺が直線状の直辺部ｓｐとに囲まれ、それら端辺が下端で接続した上方開放形の挿通部ＰＬとして形成されている。結果、この導電線挿通部ＰＬを通る導電線Ｌは、揺動軸側端面カバーＣｓにより確実に揺動軸７から分離される。また、第二端面カバーＣ２が揺動しても、この揺動による影響を受け難い。
【００３５】
本体側ヒンジ部７１
当該本体側ヒンジ部７１には、図１３、図１４に示すように、トレー塞ぎ板Ｐｄ及び下ヒータＨｄが取り付けられる本体側下ヒンジ部７１ａと、前記揺動軸７を揺動支持する本体側上ヒンジ部７１ｂとを備えて構成されている。
本体側下ヒンジ部７１ａと本体側上ヒンジ部７１ｂとは、一体の部材として金属製の板材から構成されており、図８に示すように中央支持部１４に位置決めされる。
本体側下ヒンジ部７１ａ及び本体側上ヒンジ部７１ｂは、概略共に後方開放形の箱型に形成されている。図１１に示すように、本体側上ヒンジ部７１ｂは、上記第一端面カバーＣ１と第二端面カバーＣ２との間に進入する平面視矩形の本体端面カバーＣｄを備えて構成されており、この本体端面カバーＣｄに前記揺動軸７が揺動自在に挿通される構造が採用されている。
【００３６】
従って、前記導電線挿通空間Ａｌは、第二端面カバーＣ２と本体端面カバーＣｄとの間に形成される空間として構成されており、導電線Ｌを確実に本体１内に導くことができる。
【００３７】
３  水受けトレーの押し込み位置決め構造
次に、水Ｗを入れた状態で前方より後方に向けて水受けトレー２を進入させる場合に、水面を概略底板部１１に対して平行を保つための構成に関して説明する。
このように、平行性を保つために、本願にあっては、図１３等に示すように底板部１１に６個の案内ガイド部５０、５１、５２が設けられ、図１５等に示すように水受けトレー２の底面２ｆに４個の凸部２１、２２が設けられている。
【００３８】
底板部１１上には、図１３、図１４に示すように、左右一対振り分け配置して形成される第一案内ガイド部５０、５０が設けられている。これら第一案内ガイド部５０、５０は、底板部１１と別体で作製してもよいが、通常はプレスにより底板部１１と一体成形される。その形状は、略方形で、その高さは、後述する前方案内ガイド部５１、後方案内ガイド部５２の頂点の高さと同一とされる。なお、一対の第一案内ガイド部５０、５０に関して、左右方向の開き幅を前方側より後方側の方を長くすることにより、後記の水受けトレー２の左右方向の位置合わせが容易になり、その着脱を滑らかにすることができる。この第一案内ガイド部５０、５０の高さも前方より後方を低くすることにより、水受けトレー２の装着を容易に行えるとともに、装着後に水受けトレー２が前方側にずれることがなくなる。なお、第一案内ガイド部５０、５０の左右側面部５０ｂ、５０ｂは略垂直面とされる。
【００３９】
この第一案内ガイド部５０を夫々挟む構成で、図１３からも判明するように、対となる前方案内ガイド部５１及び後方案内ガイド部５２が設けられている。前方案内ガイド部５１は、底板部１１の前端近傍部位に、一対の第一案内ガイド部５０、５０に対して、それらの内側（底板部１１の左右方向中央側）に設けられている。後方案内ガイド部５２は、底板部１１の後端近傍部位に、一対の第一案内ガイド部５０、５０に対して、それらの外側（底板部１１の左右方向中央とは離間する側）に設けられている。また、この例では、前方案内ガイド部５１、後方案内ガイド部５２の両方は、第一案内ガイド部５０とともに一体に設ける。但し、該前方、後方案内ガイド部５１、５２は、第一案内ガイド部５０と別体であっても構わない。
【００４０】
さて、これら前方案内ガイド部５１及び後方案内ガイド部５２の形状は、略又同一であり、本例では、前後方向で断面三角形の楔状を呈している。即ち、前方側から後方側の頂部ｐに向かって高くなる傾斜した前方斜面ｓ１及び頂部ｐから順次低くなる傾斜した後方斜面ｓ２を有する断面三角形の楔状を呈している。ここで、前方傾斜面ｓ１は後方傾斜面ｓ２より緩く構成されている。そして、後記の水受けトレー２の底面に設ける凸部２１、２２の傾斜面ｓ１、ｓ２と当接し、水受けトレー２の移動を滑らかにする。
【００４１】
該水受けトレー２の底面２ｆには、内側から外側へ膨出した前方凸部２１及び後方凸部２２の２種類の凸部が形成されるとともに、これら凸部２１、２２は、全て同じものをそれぞれ２個ずつ配置した計４個の凸部からなる。
【００４２】
再度凸部２１，２２に戻って、前方凸部２１は、先に説明した前方案内ガイド部５１に対応して設けられる部位であり、後方凸部２２も、先に説明した後方案内ガイド部５２に対応して設けられる部位である。２つの前方凸部２１の外側側面部２１ｂ、２１ｂ間の左右方向の距離は、第一案内ガイド部５０の内側の左右方向の離間幅よりやや小さい程度の長さに設定せれている。一方、２つの後方凸部２２の内側側面部２２ｂ、２２ｂ間の左右方向の距離は、第一案内ガイド部５０の外側左右方向の離間幅の長さよりやや大きい程度の長さに設定される。
【００４３】
これら前方凸部２１及び後方凸部２２の形状は、略又同一であり、本例では、断面三角形の楔状を呈している。即ち、前方側から後方側の頂部ｐに向かって高くなる傾斜した前方斜面ｓ１及び頂部ｐから順次低くなる傾斜した後方斜面ｓ２を有する断面三角形の楔状を呈している。ここで、水受けトレー側に設けられる凸部２１、２２に関しては、前方傾斜ｓ１は後方傾斜ｓ２より急に構成されている。その角度及び長さは、凸部２１、２２の前方傾斜ｓ１が、案内ガイド部の後方傾斜ｓ２とそれぞれ同一に、凸部２１、２２の後方傾斜ｓ２が、案内ガイド部の前方傾斜ｓ１とそれぞれ同一に、構成されている。さらに、前後方向における前方凸部２１と後方凸部２２の距離（前後方向の離間距離）は、前方案内ガイド部５１と後方案内ガイド部５２との距離（前後方向の離間距離）と同一とされている。左右方向に関しても同様である。
従って、後に図２０等により説明するように、良好に平行移動を行える。そして、後記の水受けトレー２の底面２ｆに設ける凸部の傾斜面と当接し、水受けトレー２の移動を滑らかにする。
【００４４】
即ち、この構成では、図１４、図１５、図２０に示すように、案内ガイド部５１、５２を前方傾斜面ｓ１と後方傾斜面ｓ２とを備えて構成し、対応する凸部２１、２２に関しても前方傾斜面ｓ１と後方傾斜面ｓ２とを備えて構成するものとなっている。前記案内ガイド部５１の後方傾斜面ｓ２の角度を前方凸部２１の前方傾斜面ｓ１の角度（後方角度αｂと呼ぶ）が一致されているため、押し込み操作を完了した時点で、案内ガイド部５１、５２の後方傾斜面ｓ２が凸部２１、２２の前方傾斜面ｓ１に面で接触するため、完了姿勢を良好に保つことができる。
さらに、案内ガイド部５１、５２の前方傾斜面ｓ１の角度を凸部２１、２２の後方傾斜面ｓ２の角度（前方角度αｆと呼ぶ）が一致されている。そして、押し込み操作における上昇移動に際して、案内ガイド部５１、５２の前方傾斜面ｓ１が凸部２１、２２の後方傾斜面ｓ１、ｓ２に面で接触するため、姿勢の安定した摺動移動を行える。さらに、この構成において、後方角度αｂを前方角度αｆより大きく採ることで、押し込み完了時の第１トレーの位置保持機能を確保できる。
【００４５】
この実施形態のものは、本体１の底板部１１上面に第一案内ガイド部５０を設けるとともに、水受けトレー２底面２ｆに前方及び後方凸部２１，２２をそれぞれ設けることを特徴とするものである。そして底板部１１上に水受けトレー２を載置するに際しては、以下の手順によって行う。
【００４６】
即ち、図１９に示すように、まず第一案内ガイド部５０の前方側に水受けトレー２を載せ、水受けトレー２の後方凸部２２の内側側面部２２ｂ、２２ｂ間に第一案内ガイド部５０の略垂直な左右外側面部５０ｂ、５０ｂが入るように位置合わせをする。
【００４７】
位置合わせ終了後に水受けトレー２を第一案内ガイド部５０上に載せたまま、水受けトレー２を押し込む。すると水受けトレー２の後方凸部２２の内側側面部２２ｂ、２２ｂ及び同じく水受けトレー２の前方凸部２１の外側側面部２１ｂ、２１ｂは、第一案内ガイド部５０の略垂直な左右側面部５０ｂ、５０ｂでガイドされ、左右方向へずれることなく真っ直ぐ後方に押し込むことができる。この場合、前方凸部２１がなくても行うことができるが、あった方が、左右方向のずれが少なくて良い。
【００４８】
水受けトレー２を押し込んでいくと、水受けトレー２の前方凸部２１が、第一案内ガイド部５０左右方向内側に張り出して設けられる前方案内ガイド部５１に、後方凸部２２が、第一案内ガイド部５０左右方向外側に張り出して設けられる後方案内ガイド部５２に当接する（図２０（ａ））。構わず水受けトレー２を押し込んでいくと、水受けトレー２の凸部２１、２２の後方傾斜面ｓ２が、案内ガイド部５１、５２の前方傾斜面ｓ１上に乗り上げて（図２０（ｂ））後方へ押し込まれる。そして、水受けトレー２の凸部２１、２２が、案内ガイド部５１、５２との両方から上下方向に案内されて移動し、これらを乗り越えるとともに、それぞれの案内ガイド部の後方に落ち込むことになる（図２０（ｃ））。落ち込んだ後は、水受けトレー２は、トレー塞ぎ板Ｐｄに当接し、それ以上の後方側の移動は阻止される。この場合、水受けトレー２の凸部２２の急な傾斜面である前方傾斜面ｓ１と案内ガイド部の急な傾斜面である後方傾斜面ｓ２とが当接し、ストッパーとしての機能を奏するため、その状態で、水受けトレー２を前方側に引いても水受けトレー２は移動しない。水受けトレー２を引き出すには、強く引くことで前方側へ引き出すことができる。
【００４９】
これまで説明してきた第一実施形態にあっては、第一案内ガイド部５０が、その左右方向に形成されている両側面５０ｂ、５０ｂにおいて、水受けトレー２の左右方向の位置決め機能を果たす。一方、前方案内ガイド部５１、後方案内ガイド部５２は、前方凸部２１、後方凸部２２と共働して、水受けトレー２の押し込み、若しくは引き出し操作において、水受けトレー２の姿勢を本体１の底板部１１に対して平行姿勢を保つ機能を果たす。図２１（ａ）は、本体側に設けられる第一案内ガイド部５０、前方案内ガイド部５１、後方案内ガイド部５２の平面図の横に前方案内ガイド５１、後方案内ガイド５２の断面図を、さらにその断面図に対応して水受けトレー２に設けられる前方凸部２１、後方凸部２２の関係を、模式的に示したものである。平面図には、前方凸部２１、後方凸部２２を一点鎖線で示している。
【００５０】
以下に示す別実施形態の説明では、上記の図２１（ａ）の表記方式に従って、別実施形態の構成を図示して説明する。移動は、後方への移動が図上、上方向への移動となるように表記している。
（イ）  押し込み操作完了時の位置固定機能を備えた構成
上述した第一実施形態では、左右方向の案内機能と上下方向の案内機能とを備えた構成に関して説明した。このような構成に対して、押し込みを完了した状態にあって、本体１と水受けトレー２の位置関係を保つ係合部８を備えて構成することも可能である。
このような例を図２１（ｂ）に示した。この例では、第一実施形態の構成（第一案内ガイド部５０、前方案内ガイド部５１、後方案内ガイド部５２と、前方凸部２１、後方凸部２２）に加えて、本体１に設けられる前方案内ガイド部５１の後方近傍部に半球状の位置決め用ガイド凸部８１が、水受けトレー２に設けられる前方凸部２１の後方近傍部に位置決め用凸部８２が設けられている。これによって押し込み操作を完了した姿勢である進入姿勢において、水受けトレー２を底板部１１に位置決め固定する位置決め機構を備える構造としている。
この構造にあっては、水受けトレー２の押し込みに伴って、水受けトレー２が上下方向に平行姿勢を保ちながら移動するとともに、押し込みが完了すると、位置決め用ガイド凸部８１と位置決め用凸部８２が当接することで、その位置で水受けトレー２の位置を固定することができる。このような位置決め用ガイド凸部８１は、図示するように半球状にするほか、円錐状等任意の形状とすることができる。位置決め用凸部８２は、前記位置決め用ガイド凸部８１の形状に対応して適切な形状を選択できる。
（ロ）  第一案内ガイド部を前後方向で分離した構成とするとともに、前方凸部と後方凸部とを上下方向の前後一対の段部で構成
上記の第一実施形態では、第一案内ガイド部５０を前後方向に連続する単一のガイド部として構成したが、図２１（ｃ）に示すように、第一案内ガイド部５０を構成するに２部分に分割して構成しても良い。さらに、多くの部分に分かれていても良い。
さらに、この例では、水受けトレー２の底面２ｆに下側に突出形成された前方凸部２１、後方凸部２２との両方を、前後方向に対して垂直に突出された断面形状が方形の段部としている。この例にあっても、前後方向に一対のガイド部５１、５２及び凸部２１、２２との組み合わせにより、上下方向の平行移動を良好に行うことができる。
（ハ）  前方案内ガイド部及び後方案内ガイド部とが、第一案内ガイド部に対して左右方向において同一方向に形成され、さらに、前方案内ガイド部と後方案内ガイド部との左右方向幅が異なる構成
図２１（ｄ）に示すように、前方案内ガイド部５１及び後方案内ガイド部５２を第一案内ガイド部５０に対して左右方向で同一の方向位置に形成し、さらに両者の左右方向の幅を異ならせて構成してもよい。この場合、前後方向に重なる位置にある後方案内ガイド部５２の中央より右側に位置する部位は、存在しても問題ないが、本願における後方案内ガイド部との機能を発揮する部位ではない。
前方案内ガイド部と後方案内ガイド部との形状が異なる構成
（ニ）  これまで説明してきた例にあっては、前方案内ガイド部５１と後方案内ガイド部５２と前後方向において基本的に同一の形状に形成され、これらに対応する前方凸部２１、後方凸部２２に関しても、基本的に同一の形状に形成とされる例を示した。しかしながら、図２２（ａ）に示すように、異なった形状とすることも可能である。
この例にあっては、第一案内ガイド部５０、５２は第一実施形態のものと同一に形成されている。一方、前方案内ガイド部５１に関しては、同図に実線で示す断面に示すように、傾斜面を備えない段差部として形成している。これに対して、水受けトレー２側は、前方凸部２１及び後方凸部２２は傾斜面の組合せとして、構成されている。このように構成する場合も、本体１に設けられる前方案内ガイド部５１、後方案内ガイド部５２と、水受けトレー２に設けられる前方凸部２１、後方凸部２２との形成構成を調整することにより、本願の目的を達成できる。
【００５１】
さらに、図２２（ｂ）に示すように、底板部１１に設けられる前方及び後方案内ガイド部５１、５２に関しては、前後方向長さが異なる段差部としてこれらを夫々構成し、これら段差部の位置に対応した距離を備えて傾斜の同一な傾斜部を備えた前方凸部２１、後方凸部２２を備えてもよい。
（ホ）  前方案内ガイド部と後方案内ガイド部との高さが異なる構成
さらに、図２２（ｃ）に示すように、底板部１１に設けられる前方及び後方案内ガイド部５１、５２の高さを異ならせても良い。この例は、図２２（ａ）の構成において、前後の案内ガイド部５１、５２でその高さを変えたものであり、前方案内ガイド部５１の高さをｈ２とし、後方案内ガイド部５２の高さをｈ１としている。さらに、本願の趣旨から、対応する前方凸部２１の高さをｈ１とし、後方凸部２２の高さをｈ２としている。従って、対応する案内ガイド部と凸部との合計（ｈ１＋ｈ２）は一定とされている。結果、両者間における、前後の接触位置の関係で、底板部１１と水受けトレー２を平行に維持することができる。
（へ）  第一案内ガイド部と前方案内ガイド部と後方案内ガイド部とが離間している構成
図２２（ｄ）に示されるように、第一案内ガイド部５０と前方及び後方案内ガイド部５１、５２とを別々に構成し、一定の隙間（ｄ１もしくはｄ２）が形成されている構成を採用してもよい。
【図面の簡単な説明】
【００５２】
【図１】フィッシュロースターの正面図
【図２】フィッシュロースターの平面図
【図３】フィッシュロースターの右側面図
【図４】フィッシュロースターを斜め前上方から見た全体斜視図
【図５】フィッシュロースターを斜め前下方から見た全体斜視図
【図６】フィッシュロースターを斜め後上方から見た全体斜視図
【図７】フィッシュロースターを斜め後下方から見た全体斜視図
【図８】図２のＶＩＩＩ−ＶＩＩＩ断面図
【図９】図１のＩＸ−ＩＸ断面図
【図１０】図１のＸ−Ｘ断面図
【図１１】図８のＸＩ−ＸＩ断面におけるヒンジ要部の断面図
【図１２】蓋を開放した状態のフィッシュロースターの全体斜視図
【図１３】本体の正面図
【図１４】本体の斜視図
【図１５】水受けトレーを斜め前下方から見た全体斜視図
【図１６】水受けトレーを斜め後下方から見た全体斜視図
【図１７】ヒンジ要部の分解斜視図
【図１８】ヒンジ要部の組付け状態を示す説明図
【図１９】案内ガイド部と凸部との関係を示すための正面視の要部断面図
【図２０】押し込み操作における案内ガイド部と凸部との関係を示すための側面視の要部断面図
【図２１】第一実施形態における案内ガイド部と凸部との関係及び別実施形態における案内ガイド部と凸部との関係を示す説明図
【図２２】更なる別実施形態における案内ガイド部と凸部との関係を示す説明図
【符号の説明】
【００５３】
１    本体
２    水受けトレー（第１トレー）
３    焼き網
４    反射トレー
５    蓋体
７    揺動軸
２１  前方凸部
２２  後方凸部
５０  第一案内ガイド部
５１  前方案内ガイド部
５２  後方案内ガイド部
７１  本体側ヒンジ部
７２  蓋体側ヒンジ部
７２ａ第一部材
７２ｂ第二部材
Ａ１  導電線挿通空間
Ａｃ  収納空間
Ｃ    端子
Ｃ１  第一端面カバー
Ｃ２  第二端面カバー
Ｃｆ  固定部側端面カバー
Ｃｓ  揺動軸側端面カバー
Ｃｄ  本体端面カバー
Ｆ１  第一固定部
Ｆ２  第二固定部
ＦＣ  第二接続部
Ｈｕ  上ヒータ（電気機器・揺動側ヒータ）
Ｈｄ  下ヒータ（加熱手段・本体側ヒータ）
Ｌ    導電線
Ｏｕ  ヒータ挿入孔
Ｏｄ  ヒータ挿入孔（加熱手段挿入孔）
Ｐｕ  蓋塞ぎ板
Ｐｄ  トレー塞ぎ板
ＰＬ  導電線挿通部
【図１】
2008284103.tif 000003
【図２】
2008284103.tif 000004
【図３】
2008284103.tif 000005
【図４】
2008284103.tif 000006
【図５】
2008284103.tif 000007
【図６】
2008284103.tif 000008
【図７】
2008284103.tif 000009
【図８】
2008284103.tif 000010
【図９】
2008284103.tif 000011
【図１０】
2008284103.tif 000012
【図１１】
2008284103.tif 000013
【図１２】
2008284103.tif 000014
【図１３】
2008284103.tif 000015
【図１４】
2008284103.tif 000016
【図１５】
2008284103.tif 000017
【図１６】
2008284103.tif 000018
【図１７】
2008284103.tif 000019
【図１８】
2008284103.tif 000020
【図１９】
2008284103.tif 000021
【図２０】
2008284103.tif 000022
【図２１】
2008284103.tif 000023
【図２２】
2008284103.tif 000024